(57)【要約】【課題】吸気路を流れる吸入空気の流速が遅い場合でも湿度センサの応答性を高めることができる湿度測定装置を提供する。【解決手段】湿度測定装置５は、内燃機関に吸入される吸入空気の流れる吸気路２に配され、この吸気路２を流れる吸入空気の湿度に応じた信号を発生する湿度センサ２１を有する。  そして、吸気路２は流路断面積を減少させる絞り２４を有するものであり、湿度センサ２１は絞り２４に配されている。  これにより、吸気路２を流れる吸入空気の流速が遅い場合であっても、絞り２４において吸入空気の流速を増加させることができ、湿度センサ２１近傍において吸入空気が滞留することを抑制できる。  このため、吸気路２を流れる吸入空気の流速が遅い場合でも湿度センサ２１の応答性を高めることができる。【選択図】図２
2015232514.tif 000002
【特許請求の範囲】
【請求項１】
内燃機関（１）に吸入される吸入空気の流れる吸気路（２）に配され、この吸気路（２）を流れる吸入空気の湿度に応じた信号を発生する湿度センサ（２１）を有する湿度測定装置（５）において、
前記吸気路（２）は流路断面積を減少させる絞り（２４）を有するものであり、
前記湿度センサ（２１）は前記絞り（２４）に配されていることを特徴とする湿度測定装置（５）。
【請求項２】
内燃機関（１）に吸入される吸入空気の流れる吸気路（２）に配され、この吸気路（２）を流れる吸入空気の湿度に応じた信号を発生する湿度センサ（２１）を有する湿度測定装置（５）において、
前記吸気路（２）を流れる吸入空気の一部を取り込み迂回させる副流路（２６）を有するハウジング（２７）を備え、
前記湿度センサ（２１）は、前記副流路（２６）内に配され、
前記副流路（２６）は流路断面積を減少させる絞り（２４）を有するものであり、
前記湿度センサ（２１）は前記絞り（２４）に配されていることを特徴とする湿度測定装置（５）。
【請求項３】
内燃機関（１）に吸入される吸入空気の流れる吸気路（２）に配され、この吸気路（２）を流れる吸入空気の湿度に応じた信号を発生する湿度センサ（２１）を有する湿度測定装置（５）において、
前記吸気路（２）を流れる吸入空気の一部を取り込む副流路（４０）とこの副流路（４０）から分岐する副副流路（４１）を有するハウジング（２７）を備え、
前記湿度センサ（２１）は、前記副副流路（４１）内に配され、
前記副副流路（４１）は流路断面積を減少させる絞り（２４）を有するものであり、
前記湿度センサ（２１）は前記絞り（２４）に配されていることを特徴とする湿度測定装置（５）。
【請求項４】
請求項１ないし請求項３のうちいずれか一つに記載の湿度測定装置（５）において、
前記湿度センサ（２１）は前記絞り（２４）の略中央付近に配されていることを特徴とする湿度測定装置（５）。
【請求項５】
請求項１ないし請求項４のうちいずれか一つに記載の湿度測定装置（５）において、
前記湿度センサ（２１）は前記絞り（２４）における吸入空気の流速の最も大きい位置に配されていることを特徴とする湿度測定装置（５）。
【請求項６】
請求項１ないし請求項５のうちいずれか一つに記載の湿度測定装置（５）において、
吸入空気の湿度以外の状態量に応じた信号を発生する別のセンサ（５０）を備えることを特徴とする湿度測定装置（５）。
【請求項７】
請求項６に記載の湿度測定装置（５）において、
前記別のセンサ（５０）は、流量センサ、温度センサ、または圧力センサのいずれかであることを特徴とする湿度測定装置（５）。
【請求項８】
請求項６または請求項７に記載の湿度測定装置（５）において、
前記湿度センサ（２１）または前記別のセンサ（５０）の少なくとも一つが前記絞り（２４）の略中央付近に配されていることを特徴とする湿度測定装置（５）。
【請求項９】
請求項６ないし請求項８のうちいずれか一つに記載の湿度測定装置（５）において、
前記湿度センサ（２１）または前記別のセンサ（５０）の少なくとも一つは前記絞り（２４）における吸入空気の流速の最も大きい位置に配されていることを特徴とする湿度測定装置（５）。
【請求項１０】
請求項６ないし請求項９のうちいずれか一つに記載の湿度測定装置（５）において、
前記湿度センサ（２１）と前記別のセンサ（５０）とを支持する支持部材（３３）とを備え、
この支持部材（３３）は板状体で前記絞り（２４）に配され、前記支持部材（３３）の厚さ方向は前記絞り（２４）における吸入空気の流れ方向に直交しており、
前記湿度センサ（２１）および前記別のセンサ（５０）は、前記支持部材（３３）の一方の面に設けられ、
前記湿度センサ（２１）と前記別のセンサ（５０）とは、前記絞り（２４）における吸入空気の流れ方向に並んでいることを特徴とする湿度測定装置（５）。
【請求項１１】
請求項６ないし請求項１０のうちいずれか一つに記載の湿度測定装置（５）において、
前記別のセンサ（５０）は流量センサであり、この流量センサは、前記絞り（２４）における吸入空気の流れ方向において最も上流側に配されていることを特徴とする湿度測定装置（５）。
【請求項１２】
請求項６ないし請求項９のうちいずれか一つに記載の湿度測定装置（５）において、
前記湿度センサ（２１）と前記別のセンサ（５０）とを支持する支持部材（３３）とを備え、
この支持部材（３３）は板状体で前記絞り（２４）に配され、前記支持部材（３３）の厚さ方向は前記絞り（２４）における吸入空気の流れ方向に直交しており、
前記湿度センサ（２１）は、前記支持部材（３３）の一方の面に設けられ、前記別のセンサ（５０）は、前記支持部材（３３）の他方の面に設けられ、
前記支持部材（３３）の厚さ方向から見て前記湿度センサ（２１）と前記別のセンサ（５０）との少なくとも一部が重なっていることを特徴とする湿度測定装置（５）。
【請求項１３】
請求項１ないし請求項１１のうちいずれか一つに記載の湿度測定装置（５）において、
前記絞り（２４）は、前記絞り（２４）を形成する壁面が前記湿度センサ（２１）に前記絞り（２４）における吸入空気の流れに対して垂直方向に近づく、または、前記湿度センサ（２１）が前記壁面に前記絞り（２４）における吸入空気の流れに対して垂直方向に近づくことにより形成されることを特徴とする湿度測定装置（５）。
【発明の詳細な説明】
【技術分野】
【０００１】
本発明は、湿度測定装置、特に、内燃機関に吸入される吸入空気の湿度に応じた信号を発生する湿度測定装置に関する。
【背景技術】
【０００２】
従来から、内燃機関に吸入される吸入空気の流れる吸気路に配され、この吸気路を流れる吸入空気の湿度に応じた信号を発生する湿度センサを有する湿度測定装置が公知となっている（例えば、特許文献１参照。）。
しかし、このような構成においては吸気路を流れる吸入空気の流速が遅い場合、湿度センサ近傍に吸入空気が滞留してしまい湿度センサの応答性が悪くなってしまうという問題点があった。
【０００３】
ところで、内燃機関においては、吸入空気の湿度に応じた最適の点火時期があることが知られている。
近年、吸入空気の湿度変化に即座に応答し点火時期を調整することにより、更なる燃費向上およびノッキング抑制を図ることへの要求が増加している。
【０００４】
また、過吸器を備えたＥＧＲ装置においては、コンプレッサへの凝縮水の付着が故障の原因となってしまう。
近年、上記ＥＧＲ装置において、吸入空気の湿度変化に即座に応答しＥＧＲガス流量を調整することにより、凝縮水のコンプレッサへの付着を予防するとともに、ＮＯｘの発生を抑えつつ更なる燃費の向上が図られている。
以上により、近年、湿度センサの応答性の要求が高まってきている。
【０００５】
なお、ディーゼルエンジンの尿素ＳＣＲ（Ｓｅｌｅｃｔｉｖｅ  Ｃａｔａｌｙｓｔｉｃ  Ｒｅｄｕｃｔｉｏｎ）システム、ＮＯｘ吸蔵還元触媒システム等においては、吸入空気の湿度からＮＯｘ量が推定可能であるため、湿度測定装置を設けることでＳＣＲ触媒、ＮＯｘ吸蔵還元触媒の上流側のＮＯｘセンサを廃することができるという利点もある。
【先行技術文献】
【特許文献】
【０００６】
【特許文献１】特開２００８−１５７７４２号公報
【発明の概要】
【発明が解決しようとする課題】
【０００７】
本発明は、上記の問題点を解決するためになされたものであり、その目的は、吸気路を流れる吸入空気の流速が遅い場合でも湿度センサの応答性を高めることができる湿度測定装置を提供することにある。
【課題を解決するための手段】
【０００８】
本願第１発明によれば、湿度測定装置は、内燃機関に吸入される吸入空気の流れる吸気路に配され、この吸気路を流れる吸入空気の湿度に応じた信号を発生する湿度センサを有する。
そして、吸気路は流路断面積を減少させる絞りを有するものであり、湿度センサは絞りに配されている。
【０００９】
これにより、吸気路を流れる吸入空気の流速が遅い場合であっても、絞りにおいて吸入空気の流速を増加させることができ、湿度センサ近傍において吸入空気が滞留することを抑制できる。
このため、吸気路を流れる吸入空気の流速が遅い場合でも湿度センサの応答性を高めることができる。
【００１０】
本願第２発明によれば、湿度測定装置は、内燃機関に吸入される吸入空気の流れる吸気路に配され、この吸気路を流れる吸入空気の湿度に応じた信号を発生する湿度センサを有する。
そして、吸気路を流れる吸入空気の一部を取り込み迂回させる副流路を有するハウジングを備え、湿度センサは、副流路内に配される。
ここで、副流路は流路断面積を減少させる絞りを有するものであり、湿度センサは絞りに配されている。
【００１１】
これにより、吸気路を流れる吸入空気の流速が遅い場合であっても、副流路の絞りにおいて吸入空気の流速を増加させることができ、湿度センサ近傍において吸入空気が滞留することを抑制できる。
このため、吸気路を流れる吸入空気の流速が遅い場合でも湿度センサの応答性を高めることができる
なお、副流路内に湿度センサを配することで、湿度センサへのダストの衝突等を抑制することができる。
【００１２】
本願第３発明によれば、湿度測定装置は、内燃機関に吸入される吸入空気の流れる吸気路に配され、この吸気路を流れる吸入空気の湿度に応じた信号を発生する湿度センサを有する。
そして、吸気路を流れる吸入空気の一部を取り込む副流路とこの副流路から分岐する副副流路を有するハウジングを備え、湿度センサは、副副流路内に配される。
ここで、副副流路は流路断面積を減少させる絞りを有するものであり、湿度センサは絞りに配されている。
【００１３】
これにより、吸気路を流れる吸入空気の流速が遅い場合であっても、副副流路の絞りにおいて吸入空気の流速を増加させることができ、湿度センサ近傍において吸入空気が滞留することを抑制できる。
このため、吸気路を流れる吸入空気の流速が遅い場合でも湿度センサの応答性を高めることができる
なお、副副流路内に湿度センサを配することで、湿度センサへのダストの衝突等を抑制することができる。
【図面の簡単な説明】
【００１４】
【図１】内燃機関の吸排気システムの概略説明図である（実施例１）。
【図２】湿度測定装置の説明図である（実施例１）。
【図３】湿度測定装置の説明図である（実施例２、３）。
【図４】湿度測定装置の説明図である（実施例４）。
【図５】湿度測定装置の説明図である（実施例５、６）。
【図６】湿度測定装置の要部説明図である（変形例）。
【図７】湿度測定装置の要部説明図である（変形例）。
【発明を実施するための形態】
【００１５】
以下、発明を実施するための形態を実施例に基づいて説明する。
【実施例】
【００１６】
〔実施例１の構成〕
先ず、図１を参照して内燃機関１の吸排気システムを説明する。
この実施例に示す内燃機関１は、車両駆動用のディーゼルエンジンであり、吸入空気を気筒に導く吸気路２と気筒内で発生した排気ガスを大気中に排出する排気路３とを備えている。
【００１７】
吸気路２は、吸気管、インテークマニホールドおよび吸気ポートの各内部通路によって構成される。
吸気管は、外気の取入口からインテークマニホールドまで吸気路２を形成する通路部材であり、その吸気管には、内燃機関１に吸い込まれる吸入空気中に含まれる塵や埃を除去するエアクリーナ４、吸入空気の湿度量を測定する湿度測定装置５、過吸器のコンプレッサ６、このコンプレッサ６によって圧縮されて高圧になり温度上昇した吸入空気を強制冷却するインタークーラ７、気筒内に吸引される吸入空気量の調整を行うスロットルバルブ８等が設けられている。
【００１８】
インテークマニホールドは、吸気管から供給される吸入空気を内燃機関１の各気筒内に分配する分配管である。
吸気ポートは、内燃機関１のシリンダヘッドにおいて気筒毎に形成されて、インテークマニホールドにより分配された吸入空気を気筒内に導く。
【００１９】
排気路３は、排気ポート、エキゾーストマニホールドおよび排気管の各内部通路によって構成される。
排気ポートは、吸気ポートと同様、内燃機関１のシリンダヘッドにおいて気筒毎に形成されて、気筒内で発生した排気ガスをエキゾーストマニホールドへ導く。
エキゾーストマニホールドは、各排気ポートから排出される排気ガスの集合管であり、エキゾーストマニホールドの排気出口と排気管との接合部には、過給器の排気タービン１１が配置されている。
【００２０】
排気管は、排気タービン１１を通過した排気ガスを大気に向けて放出する通路部材であり、その排気管には、排気ガス中に含まれる排気微粒子を捕集するＤＰＦ（Ｄｉｅｓｅｌ  Ｐａｔｉｃｕｌａｔｅ  Ｆｉｌｔｅｒ）１２、ＮＯｘ吸蔵還元触媒１３およびＮＯｘ吸蔵還元触媒１３の排気下流におけるＮＯｘ量を検出するＮＯｘセンサ１４等が設けられている。
【００２１】
吸気ポートおよび排気ポートの形成されるシリンダヘッドには、気筒毎に吸気ポートの出口端を開閉する吸気バルブと、排気ポートの入口端を開閉する排気バルブとが設けられている。
そして、シリンダヘッドを支持するシリンダボディにはノックセンサ１６が設けられている。
【００２２】
ここで、図１に示す内燃機関１の吸排気システムには、ＥＧＲ装置が設けられている。
ＥＧＲ装置は、所謂低圧ＥＧＲ装置であって、低排気圧範囲（ＤＰＦ１２の排気下流側で低い排気圧が発生する範囲）の排気路３の内部と、低吸気負圧発生範囲（スロットルバルブ８の吸気上流側で、低い吸気負圧が発生する範囲）の吸気路２の内部を接続する排気ガス再循環装置である。
そして、排気ガスの一部をＥＧＲガスとして吸気路２に戻すＥＧＲ流路１７を備えている。
【００２３】
ＥＧＲ流路１７の途中には、ＥＧＲ流路１７の開度を調整することでＥＧＲガスの流量調整を行うＥＧＲ調整弁１８と吸気路２に戻されるＥＧＲガスの冷却を行うＥＧＲクーラ１９とが設けられている。
【００２４】
次いで、湿度測定装置５について図２を用いて説明する。
図２（ａ）は部分縦断面図、図２（ｂ）は図２（ａ）におけるＢ−Ｂ断面図、図２（ｃ）は図２（ａ）におけるＣ−Ｃ部分断面図を表している。
湿度測定装置５は、内燃機関１に吸入される吸入空気の流れる吸気路２に配され、この吸気路２を流れる吸入空気の湿度に応じた信号を発生する湿度センサ２１を有している。
なお、湿度センサ２１は、湿度変化に応じて比誘電率またはインピーダンスが変化する感湿膜を有するシート状の周知の構成である。
【００２５】
湿度センサ２１は、吸気路２を流れる吸入空気の流量を測定することができる空気流量測定装置２２の外側面に表面が外側面と同一平面を形成するように固定されている。
そして空気流量測定装置２２は、図２（ｂ）に示すように吸気路２を流れる吸入空気の流れ方向（以下、吸気路流れ方向と呼ぶことがある。）に直交するとともに、外側面および湿度センサ２１の表面が吸入空気の流れ方向と平行となるように吸気路２に配されている。
なお、空気流量測定装置２２は、吸気路２を流れる吸入空気の一部を取り込み、この取り込まれた吸入空気から吸気路２の流量に応じた信号を発生する流量センサが内部に設けられた周知の構成となっている。
【００２６】
そして、吸気路２には板状の絞り部材２３が配されている。
ここで、絞り部材２３は一方の面が空気流量測定装置２２の外側面および湿度センサ２１の表面と平行に対向するように吸気路２に固定されている。
すなわち、吸気路２において、絞り部材２３の配されている部位は流路断面積の減少する絞り２４となっている。そして、湿度センサ２３は絞り２４に配されていることとなる。
【００２７】
また、湿度センサ２１は絞り２４の略中央付近に配されている。
ここで、絞り２４の略中央付近とは、湿度センサ２１を支持する部材（ここでは、空気流量測定装置２２）、絞り部材２３等を除いた吸気路２を形成する流路壁から十分に離れた部分であり、吸入空気の流速が流路壁近傍より大きくなっている部分である。
【００２８】
〔実施例１の効果〕
実施例１の湿度測定装置５は、内燃機関１に吸入される吸入空気の流れる吸気路２に配され、この吸気路２を流れる吸入空気の湿度に応じた信号を発生する湿度センサ２１を有する。
そして、吸気路２は流路断面積を減少させる絞り２４を有するものであり、湿度センサ２１は絞り２４に配されている。
【００２９】
これにより、吸気路２を流れる吸入空気の流速が遅い場合であっても、絞り２４において吸入空気の流速を増加させることができ、湿度センサ２１近傍において吸入空気が滞留することを抑制できる。
このため、吸気路２を流れる吸入空気の流速が遅い場合でも湿度センサ２１の応答性を高めることができる。
【００３０】
また、湿度センサ２１は、絞り２４の略中央付近に配されている。
これにより、絞り部材２３等を除いた吸気路２の流路壁の近傍より吸入空気の流速が高くなっている。
このため、吸気路２を流れる吸入空気の流速が遅い場合でも湿度センサ２１の応答性をより高めることができる。
【００３１】
〔実施例２の構成〕
実施例２の湿度測定装置について図３（ａ）〜（ｃ）を用いて説明する。
なお、以下の実施例においては実施例１と同一機能物等には同一符号を付して表している。
図３（ａ）は部分縦断面図、図３（ｂ）は図３（ａ）におけるＢ−Ｂ断面図、図３（ｃ）は図３（ｂ）におけるＣ−Ｃ部分断面図を表している。
【００３２】
湿度測定装置５は、吸気路２を流れる吸入空気の一部を取り込み迂回させる副流路２６を有するハウジング２７を備えている。
ハウジング２７は、図３（ｂ）に示すように吸気路流れ方向に直交するように吸気路２に配されている。
ハウジング２７の内部には、副流路２６が形成されており、吸気路流れ方向の上流側端面に形成される入口２６ａから流入した吸入空気は、副流路２６により９０度偏向される。そして、副流路２６に設けられたＵターン部でさらに１８０度流れ方向が変化させられ、吸気路流れ方向の下流側端面に形成される出口２６ｂから流出する。
【００３３】
湿度センサ２１は、板状の支持部材３３の一方の面に湿度センサ２１の表面がこの面と同一平面を形成するように固定されている。
そして支持部材３３は厚さ方向が吸入空気の流れ方向に直交するように副流路２６のＵターン部に固定されている。
【００３４】
そして、図３（ｃ）に示すように、副流路２６のＵターン部には、絞り部材２３が配されている。
ここで、絞り部材２３は断面略Ｄ字型の棒状体であり、長さ方向が吸入空気の流れと直交するとともに突出面が湿度センサ２１と対向するように副流路２６内に配置される。そして、絞り部材２３は副流路２６を形成する流路壁と一体となって副流路２６内に固定されている。
すなわち、副流路２６において、絞り部材２３の配されている部位は流路断面積の減少する絞り２４となっている。そして、湿度センサ２１は絞りに配されていることとなる。
【００３５】
また、絞り部材２３は、湿度センサ２１に近づくにつれ支持部材３３との間の空隙が減少し、湿度センサ２１で空隙が最小となっている。
すなわち、湿度センサ２１は絞り２４における吸入空気の流速の最も大きい位置に配されていることになる。
【００３６】
〔実施例２の効果〕
実施例２の湿度測定装置は、内燃機関１に吸入される吸入空気の流れる吸気路２に配され、この吸気路２を流れる吸入空気の湿度に応じた信号を発生する湿度センサ２１を有する。
そして、吸気路２を流れる吸入空気の一部を取り込み迂回させる副流路２６を有するハウジング２７を備え、湿度センサ２１は、副流路２６内に配される。
ここで、副流路２６は流路断面積を減少させる絞り２４を有するものであり、湿度センサ２１は絞り２４に配されている。
また、湿度センサ２１は絞り２４における吸入空気の流速の最も大きい位置に配されている。
【００３７】
これにより、吸気路２を流れる吸入空気の流速が遅い場合であっても、副流路２６の絞り２４において吸入空気の流速を増加させることができ、湿度センサ２１近傍において吸入空気が滞留することを抑制できる。
このため、吸気路２を流れる吸入空気の流速が遅い場合でも湿度センサ２１の応答性を高めることができる
また、湿度センサ２１は絞り２４における吸入空気の流速の最も大きい位置に配することで、湿度センサ２１の応答性をさらに高めることができる。
なお、副流路２６内に湿度センサ２１を配することで、ダストや水滴等を慣性分離することができ、湿度センサ２１へのダストの衝突や汚損による特性変化等を抑制することができる。
【００３８】
〔実施例３〕
実施例３の湿度測定装置５は、実施例２における絞り部材２３の形状を変更したものである。
具体的には、図３（ｄ）に示すように、絞り部材２３の断面形状を略台形としたものである。
この場合、絞り２４を形成する壁面が湿度センサ２１に吸入空気の流れ方向に対して垂直方向に近づく。
このように絞り２４が設けられているため湿度センサ２１近傍における吸入空気の流れの乱れを抑えることができる。
【００３９】
〔実施例４の構成〕
実施例４の湿度測定装置５について図４を用いて説明する。
図４（ａ）は部分縦断面図、図４（ｂ）は図４（ａ）におけるＢ−Ｂ断面図、図４（ｃ）は図４（ｂ）におけるＣ−Ｃ部分断面図を表している。
湿度測定装置５は、吸気路２を流れる吸入空気の一部を取り込む副流路４０と、この副流路４０から分岐する副副流路４１を有するハウジング２７を備える。
ハウジング２７は、図４（ｂ）に示すように吸気路流れ方向に直交するように吸気路２に配されている。
【００４０】
ハウジング２７の内部にはハウジング２７の吸気路流れ方向の上流側端面に開口する入口４０ａとハウジング２７の吸気路流れ方向の下流側端面に開口する出口４０ｂまで吸気路流れ方向にハウジング２７を貫く副流路４０が形成されている。すなわち、副流路４０は吸気路流れ方向と略平行に形成されている。
【００４１】
副副流路４１は、副流路４０より９０度の角度をなし副流路４０より分岐している流入路と、吸入空気の流れが１８０度変化するＵターン部と、ハウジング２７の両側面に設けられた出口４１ｂに連通する流出路を有する。従って、副流路４０を流れる吸入空気の一部は副流路４０から流入路を流れてＵターン部で折り返した後、流出路を流れて出口４１ｂより流出する。
【００４２】
湿度センサ２１は、板状の支持部材３３の一方の面に湿度センサ２１の表面がこの面と同一平面を形成するように固定されている。
そして支持部材３３は厚さ方向が吸入空気の流れ方向に直交するように副副流路４１のＵターン部に固定されている。
【００４３】
そして、図４（ｃ）に示すように、副副流路４１のＵターン部には、絞り部材２３が配されている。
ここで、絞り部材２３は断面略Ｄ字型の棒状体であり、長さ方向が吸入空気の流れと直交するとともに突出面が湿度センサ２１と対向するように副副流路４１内に配置される。そして、絞り部材２３は副副流路４１を形成する流路壁と一体となって副副流路４１内に固定されている。
すなわち、副副流路４１において、絞り部材２３の配されている部位は流路断面積の減少する絞り２４となっている。そして、湿度センサ２１は絞り２４に配されていることとなる。
【００４４】
〔実施例４の効果〕
実施例４の湿度測定装置５は、内燃機関１に吸入される吸入空気の流れる吸気路２に配され、この吸気路２を流れる吸入空気の湿度に応じた信号を発生する湿度センサ２１を有する。
そして、吸気路２を流れる吸入空気の一部を取り込む副流路４０とこの副流路４０から分岐する副副流路４１を有するハウジング２７を備え、湿度センサ２１は、副副流路４１内に配される。
ここで、副副流路４１は流路断面積を減少させる絞り２４を有するものであり、湿度センサ２１は絞り２４に配されている。
【００４５】
これにより、吸気路２を流れる吸入空気の流速が遅い場合であっても、副副流路４１の絞り２４において吸入空気の流速を増加させることができ、湿度センサ２１近傍において吸入空気が滞留することを抑制できる。
このため、吸気路２を流れる吸入空気の流速が遅い場合でも湿度センサ２１の応答性を高めることができる
なお、副副流路４１内に湿度センサ２１を配することで、ダストや水滴等を慣性分離することができ、湿度センサ２１へのダストの衝突や汚損による特性変化等を抑制することができる。
【００４６】
〔実施例５の構成〕
実施例５の湿度測定装置５について図５（ａ）、（ｂ）を用いて説明する。
図５（ａ）は部分横断面図、図５（ｂ）は図５（ａ）におけるＢ−Ｂ断面図を表している。
湿度測定装置５は実施例４と同様の副流路４０および副副流路４１を有するハウジング２７のＵターン部に支持部材３３を配した構成となっている。
【００４７】
湿度測定装置５は、吸入空気の湿度以外の状態量である流量に応じた信号を発生する流量センサ５０を備える。
ここで、流量センサ５０は半導体基板に設けられたメンブレン上に薄膜抵抗体で形成された発熱素子と感温素子とを有する周知の構成となっている。
【００４８】
湿度センサ２１および流量センサ５０は、板状の支持部材３３の一方の面に湿度センサ２１および流量センサ５０の表面がこの面と同一平面を形成するようにそれぞれが隣接して固定されている。
そして支持部材３３は厚さ方向が吸入空気の流れ方向に直交するとともに湿度センサ２１と流量センサ５０とが、吸入空気の流れ方向に並ぶように副副流路４１のＵターン部に固定されている。
【００４９】
また、流量センサ５０は、吸入空気の流れ方向において最も上流側に配されている。すなわち、支持部材３３上で、吸入空気の流れ方向において流量センサ５０、湿度センサ２１の順に並んでいる。
【００５０】
そして、図５（ｂ）に示すように、副副流路４１のＵターン部には、絞り部材２３が配されている。
ここで、絞り部材２３は断面略Ｄ字型の棒状体であり、長さ方向が吸入空気の流れと直交するとともに突出面が湿度センサ２１および流量センサ５０と対向するように副副流路４１内に配置される。そして、絞り部材２３は副副流路４１を形成する流路壁と一体となって副副流路４１内に固定されている。
【００５１】
すなわち、副副流路４１において、絞り部材２３の配されている部位は流路断面積の減少する絞り２４となっている。そして、湿度センサ２１および流量センサ５０を支持する支持部材３３は厚さ方向が絞り２４における吸入空気の流れ方向に直交するように絞り２４に配されていることとなる。
【００５２】
そして、湿度センサ２１および流量センサ５０は、支持部材３３の一方の面に設けられ、絞り２４における吸入空気の流れ方向に並んでいる。
そして、流量センサ５０は、絞り２４における吸入空気の流れ方向において最も上流側に配されている。ここで、最も上流側とは複数のセンサが支持部材３３の一方の面に配された場合において、最も上流側に配されるセンサが流量センサ５０となっているという意味である。
【００５３】
〔実施例５の効果〕
実施例５の湿度測定装置５は、吸入空気の湿度以外の状態量に応じた信号を発生する別のセンサである流量センサ５０と、湿度センサ２１と流量センサ５０とを支持する支持部材３３とを備える。
ここで、支持部材３３は板状体で絞り２４に配され、支持部材３３の厚さ方向は絞り２４における吸入空気の流れ方向に直交している。
そして、湿度センサ２１および流量センサ５０は、支持部材３３の一方の面に設けられ、湿度センサ２１と流量センサ５０とは、絞り２４における吸入空気の流れ方向に並んでいる。
【００５４】
これにより、吸入空気流れ方向に湿度センサ２１と流量センサ５０とを並べて配置させることで支持部材３３の副副流路４１への突出量を抑えることができる
このため、支持部材３３の存在による吸入空気の流れの乱れを抑えることができる。
【００５５】
また、実施例５の流量センサ５０は、絞り２４における吸入空気の流れ方向において最も上流側に配されている。
これにより、流量センサ５０は、絞り２４における吸入空気の流れ方向の上流側に湿度センサ２１が存在しないため、湿度センサ２１の表面の微小な凹凸や段差による流れの乱れの影響を受けることがない。
このため、流量センサ５０による吸入空気の流量測定をより安定させることができる。
【００５６】
〔実施例６の構成〕
実施例６の湿度測定装置５について図５（ｃ）、（ｄ）を用いて説明する。
図５（ｃ）は部分横断面図、図５（ｄ）は図５（ｃ）におけるＤ−Ｄ断面図を表している。
湿度測定装置５は実施例４と同様の副流路４０および副副流路４１を有するハウジング２７のＵターン部に支持部材３３を配した構成となっている。
【００５７】
湿度測定装置５は、実施例５と同様に吸入空気の湿度以外の状態量である流量に応じた信号を発生する流量センサ５０を備える。
湿度センサ２１は、板状の支持部材３３の一方の面に湿度センサ２１の表面がこの面と同一平面を形成するように固定されている。
流量センサ５０は、板状の支持部材３３の他方の面に流量センサ５０の表面がこの面と同一平面を形成するように固定されている。
湿度センサ２１と流量センサ５０とは、支持部材３３の厚さ方向から見てと少なくとも一部が重なるように固定されている。
そして支持部材３３は厚さ方向が吸入空気の流れ方向に直交するように副副流路４１のＵターン部に固定されている。
【００５８】
そして、図５（ｄ）に示すように、副副流路４１のＵターン部には、２つの絞り部材２３が配されている。
ここで、２つの絞り部材２３はそれぞれ断面略Ｄ字型の棒状体であり、長さ方向が吸入空気の流れと直交するとともにそれぞれの絞り部材２３の突出面が湿度センサ２１および流量センサ５０と対向するように副副流路４１内に配置される。そして、２つの絞り部材２３はそれぞれ副副流路４１を形成する流路壁と一体となって副副流路４１内に固定されている。
【００５９】
すなわち、副副流路４１において、絞り部材２３の配されている部位は流路断面積の減少する絞り２４となっている。そして、湿度センサ２１および流量センサ５０を支持する支持部材３３は厚さ方向が絞り２４における吸入空気の流れ方向に直交するように絞り２４に配されていることとなる。
そして、湿度センサ２１は支持部材３３の一方の面に設けられ、流量センサ５０は支持部材３３の他方の面に設けられ、支持部材３３の厚さ方向から見て湿度センサ２１と流量センサ５０との少なくとも一部が重なっている。
【００６０】
〔実施例６の効果〕
実施例６の湿度測定装置５は、吸入空気の湿度以外の状態量に応じた信号を発生する別のセンサである流量センサ５０と、湿度センサ２１と流量センサ５０とを支持する支持部材３３とを備える。
ここで、支持部材３３は板状体で絞り２４に配され、支持部材３３の厚さ方向は絞り２４における吸入空気の流れ方向に直交している。
そして、湿度センサ２１は、支持部材３３の一方の面に設けられ、流量センサ５０は、支持部材３３の他方の面に設けられ、支持部材３３の厚さ方向から見て湿度センサ２１と流量センサ５０との少なくとも一部が重なっている。
【００６１】
これにより、支持部材３３の吸入空気流れ方向の大きさを小さくすることができる。
このため、湿度測定装置５の体格を小さくすることができる。
なお、異なる面に湿度センサ２１および流量センサ５０を配しているため、それぞれの絞り部材２３の形状等を個別に最適化することができる。
【００６２】
また、湿度センサ２１および流量センサ５０は、絞り２４の略中央付近に配されている。
これにより、絞り部材２３等を除いた副副流路４１を形成する流路壁の近傍より吸入空気の流速が高くなっている。
このため、吸気路２を流れる吸入空気の流速が遅い場合でも湿度センサ２１および流量センサ５０の応答性をより高めることができる。
【００６３】
また、絞り部材２３は、それぞれ湿度センサ２１および流量センサ５０に近づくにつれ支持部材３３との間の空隙が減少し、湿度センサ２１および流量センサ５０で空隙が最小となっている。
すなわち、湿度センサ２１または流量センサ５０は絞り２４における吸入空気の流速の最も大きい位置に配されていることになる。
このため、湿度センサ２１または流量センサ５０の応答性をさらに高めることができる。
【００６４】
［変形例］
本発明は、その要旨を逸脱しない範囲で様々な変形例を考えることができる。
例えば、実施例１によれば、絞り部材２３のＣ−Ｃ断面における断面形状は矩形を呈していたが、このような態様に拘るものではない。
絞り部材２３は流路断面積を減少させるものであればどのような形状であってもよく、例えば、図６（ａ）に示すように絞り部材２３のＣ−Ｃ断面における断面形状が三角形を呈するものとしてもよい。また、図６（ｂ）および（ｃ）に示すように絞り部材２３のＣ−Ｃ断面における断面形状が台形、略Ｄ字型を呈するものとしてもよい
【００６５】
また、実施例４〜６において絞り部材２３は断面略Ｄ字型の棒状体であったが、図７（ａ）〜（ｃ）に示すように、絞り部材２３を断面台形型の棒状体としてもよい。
さらに、絞り部材２３は流路断面積を減少させるものであればどのような態様であってもよく、支持部材３３の側に設けられるものであってもよい。例えば、図７（ｄ）に示すように断面略Ｄ字型の棒状体の絞り部材２３を支持部材３３の湿度センサ２１を有さない面に設けてもよい。
【００６６】
また，図７（ｅ）に示すように、支持部材３３に断面略台形の棒状体の絞り部材２３を設け、絞り部材２３に湿度センサ２１を設けてもよい。
なお、絞り部材２３が支持部材３３に設けられた場合、絞り部材２３は支持部材３３の一部を構成することになる。
【００６７】
また、実施例２〜５において、支持部材３３はそれぞれの流路を形成する流路壁と接触していなかったが、図７（ｆ）、（ｇ）に示すように、支持部材３３をそれぞれの流路を形成する流路壁に接触させてもよい。これらの場合、支持部材３３の厚さ方向において湿度測定装置５の体格を小さくできる利点がある。
また、実施例２〜６において、支持部材３３の断面形状は略矩形型であったが、断面形状が紡錘型を呈する支持部材３３を用いてもよい。
【００６８】
また、実施例５、６においては、別のセンサとして流量センサ５０が選択されていたが、この態様に拘るものではない。例えば、別のセンサは、温度センサまたは圧力センサ等であってもよい。さらに、別のセンサは一つである必要もなく、複数の別のセンサを支持部材３３上に配してもよい。
【符号の説明】
【００６９】
１  内燃機関  ２  吸気路  ５  湿度測定装置  ２１  湿度センサ  ２４  絞り  
【図１】
2015232514.tif 000003
【図２】
2015232514.tif 000004
【図３】
2015232514.tif 000005
【図４】
2015232514.tif 000006
【図５】
2015232514.tif 000007
【図６】
2015232514.tif 000008
【図７】
2015232514.tif 000009